(57)【要約】【課題】脚立での作業を安全に行うための手すり棒を脚立に取り付けることができて、脚立での作業時や昇降時に邪魔にならず、また様々な脚立に着脱自在に取り付けることができる脚立用手すり棒支持具を提供すること。【解決手段】脚立７０の同じ高さの２つの踏桟７２に載架される第１の固定部材２０と、手すり棒８０の長手方向下端部を載置する載置部３５を有し、前記第１の固定部材２０との間に前記脚立７０の一方側の２本の支柱７１を挟んで前記第１の固定部材２０に着脱自在に固定される載置部材３０と、前記第１の固定部材２０が載架される前記２つの踏桟７２の上にある同じ高さの２つの踏桟７２に載架される第２の固定部材４０と、前記手すり棒８０の長手方向中途部を支持する支持部５５を有し、前記第２の固定部材４０との間に前記脚立７０の前記一方側の２本の支柱７１を挟んで前記第２の固定部材４０に着脱自在に固定される支持部材５０と、を具備する。【選択図】図２
2019085720.tif 000002
【特許請求の範囲】
【請求項１】
２本の支柱と、前記２本の支柱の間に複数の踏桟とを有する１対の梯子体が両側から合わさって上部で連結されている脚立に上下方向に手すり棒を取り付けるための脚立用手すり棒支持具であって、
前記脚立の同じ高さの２つの踏桟に載架される第１の固定部材と、
前記手すり棒の長手方向下端部を載置する載置部を有し、前記第１の固定部材との間に前記脚立の一方側の２本の支柱を挟んで前記第１の固定部材に着脱自在に固定される載置部材と、
前記第１の固定部材が載架される前記２つの踏桟より上方にある同じ高さの２つの踏桟に載架される第２の固定部材と、
前記手すり棒の長手方向中途部を支持する支持部を有し、前記第２の固定部材との間に前記脚立の前記一方側の２本の支柱を挟んで前記第２の固定部材に着脱自在に固定される支持部材と、
を有することを特徴とする脚立用手すり棒支持具。
【請求項２】
前記支持部材が、前記手すり棒を径方向に押圧して前記手すり棒を前記支持部に押さえつけて固定する押圧手段を有することを特徴とする請求項１に記載の脚立用手すり棒支持具。
【請求項３】
前記第１の固定部材と前記載置部材との固定、及び前記第２の固定部材と前記支持部材との固定が、ボルト及びナットによるものであることを特徴とする請求項１または２に記載の脚立用手すり棒支持具。
【発明の詳細な説明】
【技術分野】
【０００１】
本発明は、２本の支柱と、前記２本の支柱の間に複数の踏桟とを有する１対の梯子体が両側から合わさって上部で連結されている脚立に手すり棒を取り付けるための脚立用手すり棒支持具に関する。
【背景技術】
【０００２】
手の届かないような高所作業を行う際、脚立を配設して、脚立の踏桟や天板の上に作業者が乗って作業を行うことがある。しかし、一般的に脚立の踏桟や天板は作業をするのに十分な踏面を有しているとはいえず、安定した姿勢を保つのは難しい。もし姿勢を崩してしまった場合にも体を支える手段が無く転倒してしまう危険性がある。従って、脚立における作業時や昇降時に手で掴んで体を支えることができる手すりを脚立に取り付けることができると非常に有用である。
【０００３】
上記の従来技術としては、脚立の踏桟に着脱自在に取り付けられる脚立用手すりが特許文献１に開示されている。この脚立用手すりは、並列に配置された２本の支柱と、２本の支柱の上部を連結する手すり部と、各支柱の下部に設けられた脚立の踏桟に係合可能なＬ字状の下部掛け具と、下部掛け具より上側で各支柱に設けられた下部掛け具が係合する踏桟より上側の脚立の踏桟に係合可能なＬ字状の上部掛け具と、を備えており、手すり部が脚立の最上段より上側に来るように下部掛け部及び上部掛け部を脚立の踏桟に係合させることによって脚立に取り付けられる。手すり部を掴むことで脚立の最上段に立ちながらの作業を安全に行え、脚立の昇降時にも支柱を掴むことで安全に昇降できるというものである。また、側面に手すりとして掴むことのできるパイプを備えた脚立が特許文献２に開示されている。この脚立は、固定板に開閉可能に設けられ間隔をおいて配設された踏段を有する一対の脚部と、脚部にそれぞれ一端が回動可能に取り付けられ脚部が開いた状態を維持可能にする一対の可動金具と、可動金具の他端側に設けられた第１の筒体と、第１の筒体に対して摺動可能で第１のクランプによって第１の筒体に固定されるパイプと、固定板に固定されパイプに対して摺動可能で第２のクランプによってパイプを固定する第２の筒体と、を備えており、パイプが第１の筒体及び第２の筒体と摺動可能に固定されるので、脚部を開いたときにパイプを最上段の踏段よりも突出させることで、手すりとしてパイプを掴んで作業することができ、脚部を閉じたときにはパイプを脚部間に収めるようにすることで、コンパクトに収納できるというものである。
【先行技術文献】
【特許文献】
【０００４】
【特許文献１】特開平１０−３１７８５７号公報
【特許文献２】特開平０８−３０３１６６号公報
【発明の概要】
【発明が解決しようとする課題】
【０００５】
上記の特許文献１に開示されている脚立用手すりは、踏桟に対して取り付けられるため、取り付けた側の昇降面からは昇降しにくく、反対側の昇降面から昇降する時には、反対側なので支柱や手すり部に掴まるには遠くて掴まりにくい。また、その取り付けは、下部掛け具及び上部掛け具を踏桟に上から引っ掛けて取り付けられるため、手すり部に下方向に力が掛かる場合には問題ないと思われるが、左右方向や上に引っ張る方向に力が掛かる場合には、踏桟から浮いてしまったり外れてしまう可能性も考えられ、姿勢を崩しそうになった時に掴む手すりとしては心もとない。また、特許文献２に開示されている脚立は、脚立の側面の両脚部の中央に鉛直方向にパイプが設けられているのでどちらの昇降面からもパイプに掴まりやすく、また、パイプは２か所の筒体でクランプを締めることによって固定されているため、パイプは動きにくく安定していると思われるが、パイプを固定する手段は取り外しできるものではなく、脚立として一体になっているものであるため、作業場所に他の一般的な脚立が準備されている場合でも、使用したい場合は毎回この脚立ごと作業場所まで運んでいく必要があるので面倒である。
【０００６】
本発明は上記事情に鑑みてなされたものであって、脚立での作業を安全に行うための手すり棒を脚立に取り付けることができて、脚立での作業時や昇降時に邪魔にならず、また様々な脚立に着脱自在に取り付けることができる脚立用手すり棒支持具を提供することを目的とするものである。
【課題を解決するための手段】
【０００７】
上記課題を解決するために本発明に係る脚立用手すり棒支持具は、２本の支柱と、前記２本の支柱の間に複数の踏桟とを有する１対の梯子体が両側から合わさって上部で連結されている脚立に上下方向に手すり棒を取り付けるための脚立用手すり棒支持具であって、前記脚立の同じ高さの２つの踏桟に載架される第１の固定部材と、前記手すり棒の長手方向下端部を載置する載置部を有し、前記第１の固定部材との間に前記脚立の一方側の２本の支柱を挟んで前記第１の固定部材に着脱自在に固定される載置部材と、前記第１の固定部材が載架される前記２つの踏桟より上方にある同じ高さの２つの踏桟に載架される第２の固定部材と、前記手すり棒の長手方向中途部を支持する支持部を有し、前記第２の固定部材との間に前記脚立の前記一方側の２本の支柱を挟んで前記第２の固定部材に着脱自在に固定される支持部材と、を有することを特徴とする。
【０００８】
さらに、前記支持部材が、前記手すり棒を径方向に押圧して前記手すり棒を前記支持部に押さえつけて固定する押圧手段を有することを特徴とする。
【０００９】
さらに、前記第１の固定部材と前記載置部材との固定、及び前記第２の固定部材と前記支持部材との固定が、ボルト及びナットによるものであることを特徴とする。
【発明の効果】
【００１０】
本発明に係る脚立用手すり棒支持具は、第１の固定部材を脚立の同じ高さの２つの踏桟に載架して、載置部材を脚立の一方側の２本の支柱を挟んで第１の固定部材に着脱自在に固定し、第２の固定部材を第１の固定部材を載架した踏桟よりも上方にある同じ高さの２つの踏桟に載架して、支持部材を脚立の第１の固定部材及び載置部材で挟んだ一方側の２本の支柱を挟んで第２の固定部材に着脱自在に固定することによって脚立に取り付けられる。そのため、本発明に係る脚立用手すり棒支持具は、脚立での作業時や昇降時において作業者が踏む踏桟の端の一部を第１の固定部材及び第２の固定部材が覆うだけなので邪魔にならない。また、脚立の踏桟の形状や支柱の形状によらずに様々な脚立に着脱自在に取り付けることができる。手すり棒の脚立への取り付けは、脚立に取り付けられた本発明に係る脚立用手すり棒支持具の載置部材の載置部に手すり棒の長手方向下端部を載置し、そこから上に立てられた手すり棒の長手方向中途部を支持部材の支持部によって支持することで取り付けられる。載置部材及び支持部材は、踏桟に載架される第１の固定部材及び第２の固定部材に脚立の一方側の２つの支柱を挟んでそれぞれ固定される。そのため、載置部材及び支持部材は脚立の支柱より外側で昇降面の側面側にあるため、手すり棒は脚立の昇降面の側面側に取り付けられ、脚立での作業時や昇降時に邪魔にならない。また、脚立の２面ある昇降面のどちらからでも手すり棒を掴みやすい。
【００１１】
また、本発明に係る脚立用手すり棒支持具は、手すり棒の長手方向中途部を支持する支持部を有する支持部材に手すり棒を径方向に押圧する押圧手段を有しており、その押圧手段によって手すり棒を支持部に押さえつけて固定できるので、手すり棒のがたつきや支持部からの抜け等を防止することができる。また、径が小さい等、手すり棒の形状が異なる場合でも押圧手段によって手すり棒を押さえて支持部に固定できる。
【００１２】
また、本発明に係る脚立用手すり棒支持具は、第１の固定部材と載置部材との固定、及び第２の固定部材と支持部材との固定が、ボルト及びナットによるので、それぞれの固定は着脱自在であり、また、それぞれの間に挟んでいる脚立の支柱の厚さが脚立によって異なる場合でも取り付け可能である。
【図面の簡単な説明】
【００１３】
【図１】本発明の一実施形態に係る脚立用手すり棒支持具の分解斜視図である。
【図２】本発明の一実施形態に係る脚立用手すり棒支持具が脚立に取り付けられて手すり棒が支持された様子を示す斜視図である。
【図３】図２の正面図である。
【図４】図２のＡ−Ａ断面を示す平面図である。
【図５】図２のＢ−Ｂ断面を示す平面図である。
【図６】本発明の一実施形態に係る脚立用手すり棒支持具の使用状態の一例を示す斜視図である。
【発明を実施するための形態】
【００１４】
本発明の最良の実施形態について、以下、図に基づいて説明する。図１に示すように、本実施形態に係る脚立用手すり棒支持具１０は、第１の固定部材２０と、手すり棒８０の長手方向下端部を載置する載置部３５を有する載置部材３０と、第２の固定部材４０と、手すり棒８０の長手方向中途部を支持する支持部５５を有する支持部材５０と、を有する。載置部材３０は第１の固定部材２０に、また、支持部材５０は第２の固定部材４０に、それぞれボルト６１及びナット６２によって着脱自在に固定される。図２から図５に示すように、脚立用手すり棒支持具１０は脚立７０に対して取り付けられ、脚立用手すり棒支持具１０に手すり棒８０を取り付けることで、脚立７０への手すり棒８０の取り付けを可能とする。脚立７０は、上方になるほど間隔が狭くなる略ハ字形状に配設された２本の支柱７１と、その間に架設された複数の踏桟７２とを有する１対の梯子体を、２台両側から合わせて上端を連結し、その連結部を支点として下部が開閉可能となっていて自立可能な昇降器具である。手すり棒８０は断面略円形の長手状部材である。
【００１５】
第１の固定部材２０は、図１に示すように、略矩形板状の底板部と底板部の長辺の一方から略垂直に延出する側板部とを有する断面略Ｌ字形の長手状部材である。底板部を地面と平行に、そして側板部が底板部の右辺から略垂直上方に立ち上がっているように配置した時、側板部の左側の底板部のある側を前側、側板部の右側を後側とする。底板部の長手方向の両端部は下側に折り曲がって掛止片を形成している。図２、図３、図４に示すように、第１の固定部材２０は、脚立７０の１対の梯子体の下部を開いて水平な地面に設置した時に同じ高さとなる２つの踏桟７２の間を掛け渡すように、その２つの踏桟７２に上から底板部を載置するようにして取り付けられる。底板部の両端部の掛止片は２つの踏桟７２にそれぞれ引っ掛かり横ずれを防ぐ。側板部の後側は、脚立７０の一方側にある２本の支柱７１に内側からそれぞれ当接させる。側板部には、ボルト６１を挿通するためのボルト孔６３が、当接させた支柱７１が邪魔にならず、側板部の長手方向中央に対して略対称となる位置の２か所に設けられている。そして、側板部の前側の、その２か所のボルト孔６３を設けた位置には、それぞれナット６２がボルト孔６３と中心を合わせて固定されている。ここではボルト孔６３及びナット６２を２か所に設けているが、それ以上設けるようにしてもよい。また、ナット６２を側板部に固定しているが、固定させなくてもよい。また、ここでは第１の固定部材２０に断面略Ｌ字形の長手状部材を用いたが、２つの踏桟７２に載架できる底板部と、ボルト孔６３を設ける側板部を有していれば他の形状のものでもよい。例えば、断面略矩形の角鋼管等でもよい。
【００１６】
載置部材３０は、第１の固定部材２０と同様に、略矩形板状の底板部と底板部の長辺の一方から略垂直に延出する側板部とを有する断面略Ｌ字形の長手状部材である。載置部材３０の側板部の長手方向の長さは第１の固定部材２０の側板部の長手方向の長さと略同じとなっている。底板部を地面と平行に、そして側板部が底板部の右辺から略垂直上方に立ち上がっているように配置した時、側板部の左側の底板部のある側を前側、側板部の右側を後側とする。載置部材３０は、側板部の長手方向の両端部が後側に折り曲がって掛止片を形成している。図２、図３、図４に示すように、載置部材３０は、脚立７０に取り付けられた第１の固定部材２０に対して、載置部材３０の側板部の後側と第１の固定部材２０の側板部の後側とを合わせるようにして、底板部が下になる向きで取り付けられる。第１の固定手段２０の側板部の後側は２本の支柱７１に内側から当接させているので、載置部材３０の第１の固定部材２０への取り付けは、載置部材３０の側板部の後側をその２本の支柱７１に外側から当接させて、載置部材３０と第１の固定部材２０との間に２本の支柱７１を挟む形で取り付けられる。載置部材３０の側板部の長手方向の両端部の掛止片は２本の支柱７１にそれぞれ引っ掛かり横ずれを防ぐ。載置部材３０の側板部には、ボルト６１を挿通するためのボルト孔６３が、第１の固定部材２０の側板部に設けたボルト孔６３の位置と対応した位置の２か所に設けられている。また、載置部材３０の２か所のボルト孔６３の位置にはそれぞれボルト用第１スペーサー３１が設けられている。
【００１７】
ボルト用第１スペーサー３１は、略矩形平板が略直角に折り曲げられた形の部材で、天面と側面との互いに垂直な２つの面を有し、天面の長さは載置部材３０の底板部の幅と略同じで、側面の長さは載置部材３０の側板部の高さと略同じとなっている。そして天面が載置部材３０の底板部と、側面が載置部材３０の側板部と、それぞれ略平行になるように載置部材３０に固定されており、側面は載置部材３０の底板部の縁と略同じ位置になっている。また、側面にはボルト６１を挿通するためのボルト孔６３が、載置部材３０の側板部に設けられているボルト孔６３に対応する位置、つまり側面のボルト孔６３の中心と載置部材３０の側板部のボルト孔６３の中心とを結んだ直線が載置部材３０の側板部と垂直になるような位置に設けられている。
【００１８】
載置部材３０の長手方向略中央には手すり棒８０の長手方向下端部が載置される載置部３５が固定されている。載置部３５は、略矩形状の平板の端部を略直角に折り曲げた形で、手すり棒８０の長手方向下端部の面積よりも十分広い載置面と、載置面の端部から略垂直上方に立ち上がる脱落防止片とを有する。手すり棒８０の長手方向下端部は、載置部３５の載置面に載置されて、載置部材３０の側板部と載置部３５の脱落防止片とに挟まれる形になるので、手すり棒８０の前後方向の脱落を防ぐ。本実施形態では、載置部３５の脱落防止片は載置面の一方にしか設けていないが、載置面の周囲を囲うように設けてもよい。その場合は手すり棒８０の横方向への脱落も防ぐことができてより安全である。
【００１９】
載置部材３０の第１の固定部材２０への取り付けは、２か所でボルト６１を、載置部材３０に設けられたボルト用第１スペーサー３１のボルト孔６３から、載置部材３０の側板部のボルト孔６３、第１の固定部材２０の側板部のボルト孔６３に挿通して、第１の固定部材２０の側板部の前側に固定されているナット６２に螺合することで取り付けられる。
【００２０】
本実施形態で用いるボルト６１には、図１に示すように、棒状部材を中途部で略垂直に折り曲げた略Ｌ字形状の取っ手をボルト６１の頭に取り付けており、この取っ手がボルト６１の頭からボルト６１の軸に対して略垂直に延出し、降り曲がっている中途部からボルト６１の軸に略平行にボルト６１のねじ部と逆方向に延出するように取り付けている。この取っ手をボルト６１の頭に取り付けたことでボルト６１を手で回すことができ、レンチ等の工具が不要となるので取り付けが簡単である。また、この取っ手を取り付けているために、ボルト６１を回す時に取っ手が載置部材３０の底板部に干渉して回せない虞があるため、ボルト用第１スペーサー３１を載置部材３０に設けている。従って、ボルト６１に取っ手を設けない場合や、例えばボルト６１の頭に載置部材３０の底板部の幅よりも長い棒状部材の一端部をボルト６１の軸と平行になるように固定して他端部にそれと垂直になるように別の棒状部材を略中央で固定したような略Ｔ字形の取っ手を用いる場合等、ボルト６１の回転が載置部材３０の底板部に干渉しない場合はボルト用第１スペーサー３１を設けなくてもよい。
【００２１】
また、本実施形態では載置部材３０には側板部と底板部とを有する断面略Ｌ字形の長手状部材を用いているが、底板部は設けずに、側板部に手すり棒８０の長手方向の方端部を載置するための載置部３５を設けるようにしてもよい。載置部材３０に断面略矩形の角鋼管を用いた場合にはボルト用第１スペーサーが最初からついているのと同じ状態なのでそれでもよい。また、載置部３５を設けずに載置部材３０の底板部の幅を十分広く取って底板部に手すり棒８０の長手方向下端部を載置できるようにしてもよい。載置部３５は載置部材３０の底板部に固定しなくても、手すり棒８０の長手方向下端部を載置する載置部３５の載置面が脚立７０に取り付けられたときに略水平になるようになっていればよい。
【００２２】
第２の固定部材４０は、第１の固定部材２０と同様に、略矩形板状の底板部と底板部の長辺の一方から略垂直に延出する側板部とを有する断面略Ｌ字形の長手状部材である。底板部を地面と平行に、そして側板部が底板部の右辺から略垂直上方に立ち上がっているように配置した時、側板部の左側の底板部のある側を前側、側板部の右側を後側とする。底板部の長手方向の両端部は下側に折り曲がって掛止片を形成している。図２、図３、図５に示すように、第２の固定部材４０は、第１の固定部材２０が取り付けられる踏桟７２よりも上方にある同じ高さの２つの踏桟７２に対して上から底板部を載置するようにして取り付けられる。ここでは、第１の固定部材２０を取り付けた踏桟７２の１段上の２つの踏桟７２に取り付けている。脚立７０は上端が連結された１対の梯子体で、上端の連結部を支点として梯子体の下部を開いて設置されるので、同じ高さの２つの踏桟７２の間の距離は、上方になるほど狭くなる。従って、ここでは第２の固定部材４０の長手方向の長さは、その取り付ける２つの踏桟７２の距離に応じて第１の固定部材２０の長手方向の長さより短くしている。底板部の両端部の掛止片は２つの踏桟７２にそれぞれ引っ掛かり横ずれを防ぐ。側板部の後側は、第１の固定部材２０の側板部及び載置部材３０の側板部を当接させている２本の支柱７１に内側からそれぞれ当接させる。側板部には、ボルト６１を挿通するためのボルト孔６３が、当接させた支柱７１が邪魔にならず、側板部の長手方向中央に対して略対称となる位置の２か所に設けられている。そして、側板部の前側の、その２か所のボルト孔６３を設けた位置には、それぞれナット６２がボルト孔６３と中心を合わせて固定されている。ここでは２か所にボルト孔６３及びナット６２を設けるようにしているが、それ以上設けるようにしてもよい。また、ナット６２を側板部に固定しているが、固定させなくてもよい。
【００２３】
支持部材５０は、第２の固定部材４０と同様に、略矩形板状の底板部と底板部の長辺の一方から略垂直に延出する側板部とを有する断面略Ｌ字形の長手状部材である。支持部材５０の側板部の長手方向の長さは第２の固定部材４０の側板部の長手方向の長さと略同じとなっている。底板部を地面と平行に、そして側板部が底板部の右辺から略垂直上方に立ち上がっているように配置した時、側板部の左側の底板部のある側を前側、側板部の右側を後側とする。支持部材５０は、側板部の長手方向の両端部が後側に折り曲がって掛止片を形成している。図２、図３、図５に示すように、支持部材５０は、脚立７０に取り付けられた第２の固定部材４０に対して、支持部材５０の側板部の後側と第２の固定部材４０の側板部の後側とを合わせるようにして、底板部が下になる向きで取り付けられる。第２の固定手段４０の側板部の後側は２本の支柱７１に内側から当接させているので、支持部材５０の第２の固定部材４０への取り付けは、支持部材５０の側板部の後側をその２本の支柱７１に外側から当接させて、支持部材５０と第２の固定部材４０との間に２本の支柱７１を挟む形で取り付けられる。支持部材５０の側板部の長手方向の両端部の掛止片は２本の支柱７１にそれぞれ引っ掛かり横ずれを防ぐ。支持部材５０の側板部には、ボルト６１を挿通するためのボルト孔６３が、第２の固定部材４０の側板部に設けたボルト孔６３の位置と対応した位置の２か所に設けられている。また、支持部材５０の２か所のボルト孔６３の位置にはそれぞれボルト用第２スペーサー５１が設けられている。
【００２４】
ボルト用第２スペーサー５１は、略矩形平板が略直角に折り曲げられた形の部材で、天面と側面との互いに垂直な２つの面を有し、天面の長さは支持部材５０の底板部の幅と略同じで、側面の長さは支持部材５０の側板部の高さと略同じとなっている。そして天面が支持部材５０の底板部と、側面が支持部材５０の側板部と、それぞれ略平行になるように支持部材５０に固定されており、側面は支持部材５０の底板部の縁と略同じ位置になっている。また、側面にはボルト６１を挿通するためのボルト孔６３が、支持部材５０の側板部に設けられているボルト孔６３に対応する位置に設けられている。
【００２５】
支持部材５０の長手方向略中央には、支持部用スペーサー５２が設けられている。支持部用スペーサー５２も、ボルト用第２スペーサー５１と同様に、略矩形平板が略直角に折り曲げられた形の部材で、天面と側面の互いに垂直な２つの面を有し、天面の長さは支持部材５０の底板部の幅と略同じで、側面の長さは支持部材５０の側板部の高さと略同じとなっている。そして天面が支持部材５０の底板部と、側面が支持部材５０の側板部と、それぞれ略平行になるように支持部材５０に固定されている。ここでは、ボルト用第２スペーサー５１の側面と支持部用スペーサー５２の側面とは略同じ平面上の面となっている。
【００２６】
支持部５５は、略中央に略Ｕ字形状の湾曲突部が形成されている帯状の板部材であり、両端部には、支持部材５０の側板部に設けられた２か所のボルト孔６３に対応する位置にそれぞれボルト孔６３が設けられている。支持部５５の湾曲突部の内側の幅は手すり棒８０の直径よりも広くなっている。
【００２７】
支持部５５の支持部材５０への取り付け及び支持部材５０の第２の固定部材４０への取り付けは、２か所でボルト６１を、支持部５５のボルト孔６３から、ボルト用第２スペーサー５１のボルト孔６３、支持部材５０の側板部のボルト孔６３、第２の固定部材４０の側板部のボルト孔６３に挿通して、第２の固定部材４０の側板部の前側に固定されているナット６２に螺合することで取り付けられる。この時にできる支持部５５の湾曲突部と支持部用スペーサー５２の側面との間の空間で、支持部材５０の下にある載置部材３０の載置部３５に長手方向下端部が載置されてそこから上方に立てられる手すり棒８０の長手方向中途部を抱え込むようにして支持する。
【００２８】
支持部５５の湾曲突部の内側にはスペーサー５６が設けられている。このスペーサー５６は、手すり棒８０の径の大きさや断面形状が支持部５５の湾曲突部の形と合わない場合に生じる隙間を埋めるためのもので、図１に示すようにねじによって着脱可能となっており、用いる手すり棒８０の径の大きさや断面形状によって支持部５５自体を変える必要がなく、スペーサー５６の大きさや形状を変えることで対応できる。
【００２９】
また、支持部用スペーサー５２の天面には、手すり棒８０をその径方向に押圧して支持部５５に押さえつけて手すり棒８０を固定する押圧手段５７を設けている。押圧手段５７は、平板にねじ孔を設け、そのねじ孔に頭に取っ手のついた蝶ねじを螺嵌して、蝶ねじのねじ部の先端に皿形の押さえ具を設けたもので、押さえ具が手すり棒８０に当接できる向きで平板を支持部用スペーサー５２の天面に略垂直に固定している。押圧手段５７の蝶ねじを回転させることで、その回転方向によって押さえ具が手すり棒８０の径方向に前後するため、押さえ具によって手すり棒８０を押圧して支持部５５の湾曲突部の弧の方に押さえつけることで手すり棒８０を固定する。これによって、支持部５５の湾曲突部と支持部用スペーサー５２の側面との間の空間に支持されている手すり棒８０の長手方向中途部の径がその空間よりも小さく隙間が空いたりする場合でも、手すり棒８０ががたついたり上下方向に動いたりするのを防ぐことができるので安全である。
【００３０】
本実施形態では支持部材５０に設けた支持部用スペーサー５２の側面と支持部５５の湾曲突部とで手すり棒８０の長手方向中途部を支持して、スペーサー５６と押圧手段５７とを用いることによって、手すり棒８０の大きさや形状が異なる場合でもしっかり固定して支持できるようにしているが、支持部５５の湾曲突部の形状を、用いる手すり棒８０の形状にぴったり合わせた支持部５５を用いてもよい。その場合は支持部５５によってしっかり手すり棒８０を支持固定できるので、スペーサー５６や押圧手段５７を設けなくてもよい。例えば、断面略矩形の角鋼管を手すり棒として用いる場合は、支持部５５の湾曲突部をそれに合う略コ字形状の突部にするようにしてもよい。支持部５５は支持部材５０に着脱自在に取り付けられるため、支持部５５の湾曲突部と手すり棒８０との間に遊びが無い場合でも取り付けやすい。
【００３１】
また、本実施形態では押圧手段５７を支持部用スペーサー５２の天面に設けて、手すり棒８０を径方向に支持部５５の湾曲突部の弧の方向に押圧できるようにしていたが、支持部５５の湾曲突部に設けていたスペーサー５６の代わりに、湾曲突部にねじ孔を設けてそのねじ孔に湾曲突部の外側から蝶ねじを螺嵌して湾曲突部の内側で蝶ねじのねじ部の先端に皿型の押さえ部を設けて、湾曲突部の内側で手すり棒８０を径方向に支持部用スペーサー５２の側面の方向に押圧できるようにしてもよい。この場合は手すり棒８０を支持部用スペーサー５２の側面に押し付けて固定する。
【００３２】
また、本実施形態では、支持部材５０の側板部のボルト孔６３の位置にボルト用第２スペーサー５１を設けて、また、支持部材５０の略中央にも支持部用スペーサー５２を設けて、ボルト用第２スペーサー５１の側面と支持部用スペーサー５２の側面とが略同じ平面上になるようにしているが、これは支持部５５の支持部材５０への固定を、支持部材５０の第２固定部材４０への固定と同一のボルト６１及びナット６２によって行うようにしているからである。従って、本実施形態ではボルト用第２スペーサー５１と支持部用スペーサー５２とを分けているが、同一部材にしてもよい。また、支持部５５の長さを短くして支持部用スペーサー５２の側面の長さに収まるようにして、支持部５５を支持部用スペーサー５２の側面に固定するようにした場合は、支持部用スペーサー５２の側面と、ボルト用第２スペーサー５１の側面とを略同じ平面上になるようにする必要もなくなる。その場合は、ボルト用第２スペーサー５１は、載置部材３０のボルト用第１スペーサー３１と同様に、頭に取っ手のついたボルト６１を回す際に取っ手が支持部材５０の底板部に干渉するのを防ぐ役割であり、干渉しない場合は設けなくてもよい。
【００３３】
本実施形態では、支持部材５０に底板部と側板部とを有する略Ｌ字形の長手状部材を用いているが、底板部を設けずに、側板部に例えば略コ字形の支持部用スペーサー５２を設けるようにしてもよい。支持部用スペーサー５２は、その支持部材５０の側板部と略平行の側面が、支持部５５の湾曲突部と共に、手すり棒８０の長手方向中途部を支持する。図３、図５に示すように、脚立７０の踏桟７２が架設されている２本の支柱７１は上方になるほど幅が狭くなっているため、第１の固定部材２０を取り付けた踏桟７２よりも上方の踏桟７２に取り付けられる第２の固定部材４０は、第１の固定部材２０よりも内側に寄っている。そのため、同様に載置部材３０よりも支持部材５０は内側に寄ることになるので、支持部材５０には支持部用スペーサー５２を設けて、その側面を少なくともその内側に寄っている距離の分、支持部材５０の側板部の前側から突出させることで手すり棒８０を載置部材３０の載置部３５から略垂直に立てることができるようにしている。支持部用スペーサー５２を設けずに、支持部材５０の側板部と支持部５５の湾曲突部によって手すり棒８０の長手方向中途部を支持するようにした場合は、そこから手すり棒８０を略垂直下方に伸ばすと載置部材３０の側板部に干渉する。また、ここでは踏桟７２が架設されている２本の支柱７１は上方になるほど幅が狭くなる脚立７０を用いているが、平行な支柱の間に踏桟が架設されている脚立にも脚立用手すり棒支持具１０を取り付けることは可能である。その場合には支持部用スペーサー５２を用いなくてもよい。また、用いる場合でも支持部用スペーサー５２の幅の分、載置部３５を広く取ればよい。
【００３４】
また、手すり棒８０の長手方向中途部を支持するのに、本実施形態のような支持部５５及び支持部用スペーサー５２でなくても、手すり棒８０の長手方向中途部を支持固定できて手すり棒８０が着脱自在になっていればよい。例えば、筒状の支持部で手すり棒８０をその開口部から挿入して径方向に締め付けることができるクランプ等の締付手段によって支持固定する等でもよい。
【００３５】
次に、本実施形態に係る脚立用手すり棒支持具１０を脚立７０に取り付ける流れについて説明する。まず、目的の作業場所の水平な地面の上で、脚立７０の１対の梯子体を開脚させて脚立７０に設けられている開き止め金具でその開脚具合を固定することによって脚立７０を設置する。そして、脚立７０の１対の梯子体の同じ高さの２つの踏桟７２の上に第１の固定部材２０の底板部を載架して側板部の後側を一方側の２本の支柱７１に内側から当接させる。この２本の支柱７１を間に挟むように載置部材３０の側板部の後側を底板部が下になる向きで外側から当接させて、ボルト６１をボルト用第１スペーサー３１のボルト孔６３から載置部材３０の側板部のボルト孔６３及び第１の固定部材２０の側板部のボルト孔６３に挿通して第１の固定部材２０の側板部に固定されているナット６２に螺合させることで載置部材３０を第１の固定部材２０に取り付ける。次に、第１の固定部材２０を取り付けた２つの踏桟７２より上方にある同じ高さの２つの踏桟７２の上に第２の固定部材４０の底板部を載架して側板部の後側を第１の固定部材２０を当接させた２本の支柱７１に内側から当接させる。この２本の支柱７１を間に挟むように支持部材５０の側板部の後側を底板部が下になる向きで外側から当接させて、ボルト６１を支持部５５のボルト孔６３からボルト用第２スペーサー５２のボルト孔６３及び支持部材５０の側板部のボルト孔６３及び第２の固定部材４０の側板部のボルト孔６３に挿通して第２の固定部材４０の側板部に固定されているナット６２に螺合させることで支持部５５を支持部材５０に、支持部材５０を第２の固定部材４０に取り付ける。これで脚立用手すり棒支持具１０の脚立７０への取り付けは完了である。そしてこの脚立７０に取り付けた脚立用手すり棒支持具１０の支持部材５０のボルト６１を少し緩めて、支持部５５の湾曲突部に上から手すり棒８０を挿入し、手すり棒８０の長手方向下端部を載置部材３０の載置部３５に載置する。そして支持部材５０のボルト６１を締めて、押圧手段５７によって手すり棒８０を押さえて固定する。これで手すり棒８０の取り付けは完了である。本実施形態ではボルト６１には頭に取っ手を設けてレンチ等の工具を使用せずに手でボルト６１を回せるようにしているため、脚立用手すり棒支持具１０の脚立７０への取り付け及び手すり棒８０の脚立用手すり棒支持具１０への取り付けには工具を必要とせず、簡単に取り付け可能である。
【００３６】
本実施形態に係る脚立用手すり棒支持具１０は、図２、図３に示すように、脚立７０の踏桟７２の端に第１の固定部材２０及び第２の固定部材４０が取り付けられて、載置部材３０と支持部材５０は支柱７１の外側から取り付けられるため、第１の固定部材２０の底板部または第２の固定部材４０の底板部の幅の分だけ踏桟７２の端が覆われるだけなので、脚立７０の２面ある昇降面のうちどちらからの昇降時や作業時にも邪魔にならない。また、手すり棒８０は、脚立７０の２面ある昇降面の側面の略中央に地面に略垂直に立てられるため、どちらの昇降面からでも手すり棒８０を掴み易い。
【００３７】
また、脚立用手すり棒支持具１０の脚立７０への取り付けは、第１の固定部材２０及び第２の固定部材４０をそれぞれ踏桟７２に載置して、載置部材３０は第１の固定部材２０に対して、また、支持部材５０は第２の固定部材４０に対してそれぞれボルト６１及びナット６２で着脱自在に固定されるため、脚立の踏桟の形状や支柱の形状によらず、様々な脚立に対して取り付けることが可能である。本実施形態では断面略平行四辺形の踏桟７２に取り付ける例を示したが、例えば断面略円形や断面略楕円形等の踏桟に対しても取り付けることができ、また、支柱の幅や厚さが異なるような脚立にも取り付け可能である。
【００３８】
また、手すり棒８０は、その長手方向下端部を載置部材３０の載置部３５に載置して、そこから略垂直上方に立てて、長手方向中途部を支持部材５０の支持部５５の湾曲突部と支持部用スペーサー５２で挟んで支持することで脚立用手すり棒支持具１０に取り付けられている。載置部３５には手すり棒８０の下端部を載置するだけであり、また、支持部５５の湾曲突部には手すり棒８０との隙間を埋めるスペーサー５６を取り付けることができるようになっており、そして、支持部用スペーサー５２に設けられた押圧手段５７によって手すり棒８０を径方向に押さえて固定できるようになっているので、手すり棒８０の径や形状が異なる場合でも取り付けることができる。本実施形態では断面略円形の長手状部材の手すり棒８０の例を示したが、例えば、断面略矩形の角鋼管を手すり棒として用いた場合でも、支持部５５の湾曲突部にその角鋼管の一面に当接する平面状のスペーサー５６を取り付けて押圧手段５７によって角鋼管のその反対側の面を押さえて固定できる。また、本実施形態では支持部５５は支持部材５０から取り外し可能になっているので、用いる手すり棒８０の径や形状によって支持部５５を変えてもよい。
【００３９】
本実施形態では第１の固定部材２０を取り付けた同じ高さの２つの踏桟７２の１段上にある同じ高さの２つの踏桟７２に第２の固定部材４０を取り付けた例を示したが、２段以上上にある２つの踏桟７２に対して取り付けてもよい。図６には２段上に取り付けた例を示した。また、図６には、作業者が脚立７０に上がって手すり棒８０を掴んでいる様子を示している。脚立７０の上方の踏桟７２に上がって作業を行う場合、手すり棒８０が無いと、踏桟７２の幅は狭く、掴んだり寄りかかることができるようなものもないので、不安定な姿勢で作業を行うことになり、転落する危険性があるが、本実施形態に係る脚立用手すり棒支持具１０によって脚立７０に手すり棒８０を取り付けることにより、手すり棒８０を掴みながら作業をすることができるため、脚立７０の上方の踏桟７２や天板に乗って作業をする際にもバランスを崩すことなく安定して作業ができるので安全である。また、図６に示すように、作業場所に桁９１や垂木や柱等がある場合、例えば、略平行に配設した端部に挟み具を有する２枚の板部材を２か所でボルト及びナットによって連結してそのボルト及びナットの締め具合によって２枚の板部材の間の距離を調節できる支持棒取付具９２を、その挟み具で桁９１を挟むことによって桁９１に取り付け、支持棒取付具９２の一方のボルトに棒状部材である支持棒９３の一端側を回動自在に取り付け、支持棒９３の他端側を手すり棒８０のゴムバンド９４で固定するというようにすると、脚立７０自体の転倒も防ぐことができるため、より安全である。
【００４０】
上記はあくまで本発明に係る脚立用手すり棒支持具の一実施形態を示したものであるため、本発明の思想を逸脱しない範囲で適宜変更可能である。
【産業上の利用可能性】
【００４１】
本発明に係る脚立用手すり棒支持具は、脚立に手すり棒を着脱自在に取り付けることができて、脚立での作業時や昇降時に邪魔にならない位置に取り付けられるため、脚立を用いる高所作業において作業性を妨げずに安全性の向上を図ることができる。
【符号の説明】
【００４２】
１０    脚立用手すり棒支持具
２０    第１の固定部材
３０    載置部材
３５    載置部
４０    第２の固定部材
５０    支持部材
５５    支持部
５７    押圧手段
６１    ボルト
６２    ナット
７０    脚立
７１    支柱
７２    踏桟
８０    手すり棒
【図１】
2019085720.tif 000003
【図２】
2019085720.tif 000004
【図３】
2019085720.tif 000005
【図４】
2019085720.tif 000006
【図５】
2019085720.tif 000007
【図６】
2019085720.tif 000008